(57)【特許請求の範囲】
【請求項１】
肥料、又は、種子の如き粉・粒状体を装填するタンク１が装備された走行車体２から圃場に施肥、又は、播種する構成の農作業機において、前記走行車体２上に設けられた操縦座席３の近傍には、空調機器４から送風された調整空気（熱・冷気）を吹き出す噴風口部５が配置して設けられ、前記肥料、又は、種子のタンク１に、空調機器４から送風された調整空気（熱・冷気）を吹き込む構成とした簡易型空調装置を装備した農作業機。
【発明の詳細な説明】
【０００１】
【発明の属する技術分野】
本発明は、簡易型空調装置を装備した農作業機であって、農業機械の技術分野に属する。
【０００２】
【従来の技術】
従来から、農作業機や土木、建設作業機等の移動車輌は、車体上に操縦者が座るキャビンが装備され、外部と遮断してその室内を快適な状態に保って作業能率を上げる工夫がされた構成となっている。そして、空調機器は、通常の場合、キャビンの天井に設置され、その空調機器から空気（熱・冷気）をキャビン室内に吹き出すグリルを操縦者の頭上に開口して構成し、更に、空調作用に伴う除湿により気中の水分を凝縮して生じる排水のドレンホ−スを、天井からキャビンの後部に配管して構成され、キャビン室内を快適に空気調整する技術が実用化されている。
【０００３】
そして、最近では、農業機械のキャビンを装備しないものにまで簡易型の空調装置を搭載する技術が公開されている。
【０００４】
【発明が解決しようとする課題】
農業機械の中で、肥料、又は、種子をタンクに装填して圃場に施肥、又は、播種する農作業機では、タンク内を極力乾燥状態に保って肥料や種子を円滑に繰り出すことが要求される。しかしながら、この種の農作業機は、高温多湿の時期に使用することが多いから、作業者が暑さに悩まされるのみならず、タンク内に湿気がこもって粉・粒状体が固まり易く、円滑な繰り出しができない課題があった。
【０００５】
【課題を解決するための手段】
本発明は、上述した従来型の課題を解決するために、次の如き技術手段を講ずるものである。すなわち、請求項１に係る発明は、肥料、又は、種子の如き粉・粒状体を装填するタンク１が装備された走行車体２から圃場に施肥、又は、播種する構成の農作業機において、前記走行車体２上に設けられた操縦座席３の近傍には、空調機器４から送風された調整空気（熱・冷気）を吹き出す噴風口部５が配置して設けられ、前記肥料、又は、種子のタンク１に、空調機器４から送風された調整空気（熱・冷気）を吹き込む構成とした簡易型空調装置を装備した農作業機としている。
【０００６】
【発明の効果】
本発明は、上記の如く構成されているから、操縦者に空調機器から空気（熱・冷気）を送って、快適な環境を提供することができる特徴を有する。更に、タンク内に装填している粉・粒状体を乾燥して固まりを未然に防止し、繰り出しが円滑にできるようにした特徴を有する。
【０００７】
【発明の実施の形態】
以下、本発明の実施例を具体的に説明する。
まず、その構成について述べる。
農作業機１０は、図３および図４に示すように、前輪１１ａ、１１ｂと後輪１２ａ、１２ｂとの４輪からなる走行車輪が設けられた走行車体２の後部に、移植機１３が昇降リンク機構１４を介して上下昇降自由に連結して構成されている。そして、走行車体２は、中央位置に操縦座席３が設けられ、その前方位置に操縦ハンドル１５や操作レバ−が設けられ、前記操縦座席３の下側にはエンジン１６が搭載され、走行車体２や前記移植機１３の回転各部を伝動する構成とされている。
【０００８】
そして、ステップフロア１７は、図３および図４に示すように、車体２上において、前記操縦座席３や操縦ハンドル１５の両側位置に前後方向に設けられたものと、更に、前記操縦座席３の背後位置に横向きにして設けられている。そして、これら一連のステップフロア１７は、後述する予備苗枠１８と移植機１３との間を苗補給のために、自由に行き来できる構成になっている。なお、１９は補助イスであって、苗補給のための補助作業者が座る構成とされている。
【０００９】
つぎに、予備苗枠１８は、操縦ハンドル１５の両側に設けた支持枠２０に、それぞれ複数段にして収納搭載できる構成とされ、更に、前記ステップフロア１７の外側にもそれぞれ配置して設けられている。
【００１０】
そして、前記移植機１３は、低部の接地面に設けられた整地フロ−ト２１と、その後部に設けられた植付装置２２と、この植付装置２２に移植苗を供給する苗タンク２３とから構成されている。なお、移植機１３は、図３に示す実施例の場合、８条植えに構成されている。
【００１１】
つぎに、肥料タンク１は、図１に示す実施例の場合、走行車体２の後端の上部位置に横向きに配置され、植付条数に対応した個数が設けられ、肥料を装填できる構成とされている。そして、肥料タンク１は、図２に示すように、内部の下部位置に繰出ロ−ル２４が軸架され、回転に伴って定量の肥料が下方の移送管２５に繰り出されるように構成されている。そして、起風翼車８は、肥料タンク１の一側（実施例の場合、図３に示すように進行方向の左側）に設け、タンク１の下側に沿わせて横向きに配置したエアチャンバ２６に連結して、搬送空気を起風するように構成されている。そして、エアチャンバ２６は、空気の貯留機能を有し、各タンク１にそれぞれ設けている前記移送管２５の始端部に連通して搬送空気を供給するように構成されている。
【００１２】
つぎに、空調機器４は、上記肥料タンク１の他側（実施例の場合、図３に示すように進行方向の右側で、起風翼車８の反対側）に、付属機器と共に設置しており、調整した空気（熱・冷気）を送風ダクト２７、２７’に吹き出して前方の走行車体２側に送るように構成されている。そして、空調機器８に付随するガス管２８と温水管２９は、走行車体２側に沿わせて配管し、ガス管２８を図外のコンデンサ−に循環可能に連通し、温水管２９を前記エンジン１６側に循環可能に連通し、従来から公知のように、前者を冷房用（フロンガス）に使用し後者を暖房用（温水）に使用する構成とされている。
【００１３】
なお、上記のように配置した場合、空調機器４は、外気導入部６を前記エアチャンバ２６に連通させてそのチャンバから取り込む構成にすることもできるが、この場合は、前記起風翼車８の容量を拡大する必要がある。このように構成すると、空調機器４は、その付属機器（コンプレッサ−やフィルタ−）が省略できて部品点数が減少し、大幅なコストダウンになる。
【００１４】
つぎに、実施例の噴風口部５は、図１に示す実施例の構成では、操縦ハンドル１５の側方位置に支柱３０によって支持し、操縦座席３に座る操縦者の方向に吹き出すように構成され、もう一つの実施例である図３および図４に示す構成例では、予備苗枠１８の支持枠２０に設けられた取付杆３１に支持され、操縦座席３に座る操縦者の方向に吹き出すように構成されている。なお、噴風口部５は、吹き出し方向を所定の範囲で変更調節できる構成になっている。
【００１５】
そして、もう一つの吹出口３２は、図１および図２に示すように、前記空調機器４に連通した送風ダクト２７’を肥料タンク１の前側に沿わせて配管し、各タンク１の中に開口して吹き出すように構成されている。
【００１６】
更に、噴風口部５は、別の実施例として図６に示すように、前記送風ダクト２７に連通させて操縦座席３の側方上方の高い位置に多数の噴孔５ａを配列して設け、操縦者の頭上にエア−カ−テンを形成できるように構成されている。
【００１７】
つぎに、コンプレッサ−７は、前記空調機器４の付属機器であって、必要空気を導入する外気導入部６を接続し、導入空気を圧縮して強制搬送する構成としているが、図５に示すように、前記肥料タンク１内に装備している。３３は制御モ−タ−であって、コンプレッサ−７を駆動する構成としている。
【００１８】
つぎにその作用を説明する。
まず、苗移植作業にあたり、予め、予備苗枠１８に予備苗を載せ、肥料タンク１にも肥料を装填した後、苗補給を行なう補助作業者が、補助イス１９に座り、操縦者は、操縦座席３に着席してエンジン１６を始動する。そして、操縦者は、それと同時に、操作パネル上のダイヤルを操作して、空調機器４の温度設定をしたのち始動する。すると、空調機器４は、装備されている制御機構に基づいて、空調作用が開始され、配管されているガス管と温水管とによって循環されているフロンガス、温水を使いわけて冷暖房による空気調節作用を始めるのであるが、以下の説明は、冷房作用について述べる。
【００１９】
このように、空調機器４は、設定温度に保たれた空気(冷気)を、送風ダクト２７、２７’内に噴出して噴風口部５から操縦者へ、吹出口３２から肥料タンク１内部にそれぞれ吹き出すことになる。
【００２０】
この場合、まず、噴風口部５は、図１、図３、図４に示すように、操縦者に向かって調整空気(冷気)を吹き出して、操縦座席３の周辺は、設定した温度の調整空気が流れ出て、操縦者の上半身をつつむようにして簡易型の空調作用をするものである。又、噴風口部５は、図６に示す実施例では、送風ダクト２７に連通させて操縦座席３の側方上方の高い位置に配列された多数の噴孔５ａから調整空気(冷気)が吹き出して、操縦者の頭上にエア−カ−テンを形成する。このエア−カ−テン状の冷気は、高温の外気から操縦者を守ると共に、塵埃や多少の雨等からも操縦者を守ることができる。
【００２１】
このような作業中において、肥料タンク１は、空調機器４から送風ダクト２７’を通った空気が吹出口３２から内部に吹き込まれ、装填されている肥料を乾燥させている。したがって、肥料は、湿気が除かれて乾燥状態になって固まることがなく、下側の繰り出しロ−ル２４から定量づつ繰り出されて空気搬送されながら圃場に施肥されるものである。そして、タンク１内の加圧空気は、上側から外に排風されるが、防護網により肥料がでることはない。
【００２２】
上述の実施例は、肥料タンク１であるが、これを種子タンクに構成しても同様の作用、効果が期待できる。
【００２３】
又、肥料タンク１は、図５に示す実施例の場合、コンプレッサ−７を制御モ−タ−３３によって駆動すると、作動に伴う発熱によりタンク１内の肥料が乾燥される固まることなく、円滑に繰り出すことができる。更に、外気導入部６は、図５に示すように、肥料タンク１内に設けることにより、湿気を除去して繰り出しを円滑にできるものである。なお、この場合、外気導入部６は、防塵用の吸気網を設けているから肥料を吸い込むことはない。
【００２４】
上述のような状態で、農作業機１０は、前進に伴って圃場面が整地フロ−ト２１によって整地されたあとに苗タンク２３の苗を、植付装置２２によって植え付けながら作業を行なうものであるが、このような作業中に、空調機器４と起風翼車８とは、図３に示すように、肥料タンク１の左右両側に配置して設けられているから、走行車体２の左右重量バランスを確保し、灌水状態の柔軟な圃場でも安定良く走行することができる。
【図面の簡単な説明】
【図１】要部斜面図である。
【図２】一部破断側面図である。
【図３】平面図である。
【図４】側面図である。
【図５】内部の平面図である。
【図６】側面図である。
【符号の説明】
１    タンク          ２    走行車体          ３    操縦座席
４    空調機器        ５    噴風口部          ６    外気導入部
７    コンプレッサ。
【図１】
0003629985.tif 000002
【図２】
0003629985.tif 000003
【図３】
0003629985.tif 000004
【図４】
0003629985.tif 000005
【図５】
0003629985.tif 000006
【図６】
0003629985.tif 000007